(57)【要約】      （修正有）【課題】陥没乳首を矯正するのに充分な吸引力とその持続力とが得られ、胸部から取り外すことが容易であって胸部に負担を掛けることがなく、またブラジャーなどの下に着用しても違和感のないような、陥没乳首矯正具を提供する。【解決手段】陥没乳首矯正具１は胸部に吸着する吸着部２と、この吸着部２の中程に開けられた開口部と、この開口部に設けられた乳首を挿入するための挿入部３と、この挿入部３の先に設けられた弾力性を有する吸引部４とから成り、この吸引部４は挿入部３よりも大きな径を有してこの陥没乳首矯正具１の全体は吸着方向が略鼓状を呈し且つ略扁平状を呈することを特徴とする。【選択図】図１
0003143996.tif 000002
【実用新案登録請求の範囲】
【請求項１】
胸部に吸着する吸着部と、この吸着部の中程に開けられた開口部と、この開口部に設けられた乳首を挿入するための挿入部と、この挿入部の先に設けられた弾力性を有する吸引部とから成り、この吸引部は挿入部よりも大きな径を有してこの陥没乳首矯正具の全体は吸着方向が略鼓状を呈し且つ略扁平状を呈することを特徴とする、陥没乳首矯正具。
【請求項２】
少なくとも前記吸着部が透明である、請求項１に記載の陥没乳首矯正具。
【請求項３】
胸パッドとして形成されている、請求項１に記載の陥没乳首矯正具。
【考案の詳細な説明】
【技術分野】
【０００１】  この考案は、陥没乳首を吸引して正常とされる状態に戻すための陥没乳首矯正具に関するものである。
【背景技術】
【０００２】  正常とされる状態の乳首は胸部乳輪部より突出しているが、これに対して陥没乳首（陥没乳頭）は乳首が胸部内に落ち込んだ状態のものである。陥没乳首が問題となっているのは、陥没部位がうまく洗えないために不衛生になりやすく、見た目が気になり、授乳がうまく行かないなどの問題があるからである。【０００３】  そこで乳首を吸引することで胸部乳輪部より引き出して正常とされる状態に戻すための用具が提供されている。例えば公開実用新案昭和５６−１０４５２５号の「乳首を大きくする吸引盤」は、乳首及び乳首つけ根部分を吸引する空間部を吸引作用が働いてもなおまだ充分に真空空間があるように構成したものであり、乳房の先端部分に押し当て、内部を真空にして吸着させるだけで乳首及び乳首のつけ根部分が空間部方向へ引っ張られ、吸引作用を持続させることができる効果があると言うものである。また公表特許２００５−５０４５６７号の「陥没乳頭矯正器」は、乳頭を受容する受容部と、受容部内に圧力を維持する挟持部と、乳房に密着され真空状態を維持する吸着部とから成り、挟持部は支持部・中空部・圧着部により構成され、支持部及び圧着部の内側は突起の形態を成しており、圧着部の突起は支持部の突起よりも大きく、中空部は支持部と圧着部との間に形成されていることを特徴とするものであり、支持部と中空部とで乳頭を把持することが出来る。
【特許文献１】  公開実用新案昭和５６−１０４５２５号公報
【特許文献２】  公表特許２００５−５０４５６７号公報
【特許文献３】  公開実用新案平成１−１１２８１２号公報（後出）
【考案の開示】
【考案が解決しようとする課題】
【０００４】  しかしながら上述した公開実用新案昭和５６−１０４５２５号も公表特許２００５−５０４５６７号も、吸引力を発現すると共に維持する部位は実質的に吸着部のみであるため、乳首の吸引力が弱く乳首を胸部より引き出す効果とその持続性とが乏しいと言う欠点がある。また乳首の吸引力が弱いにもかかわらず、吸着部が胸部に吸着すると外したいと思う時に外れにくく、胸部を不本意に引っ張るようになるなどして胸部に掛かる負担が大きいと言う問題がある。【０００５】  そこで、公開実用新案平成１−１１２８１２号の「動物用乳頭洗浄消毒器」は乳頭に被せる洗浄消毒器に接続パイプを介して蛇腹形弾性体薬液タンクを取り付けて成るものであるが、このような構成のものを陥没乳首矯正具として利用することが出来るのではないかと思考して見た。しかしながら確かに蛇腹形弾性体による吸引力が大きいために乳首の吸引力及び持続力には充分な成果が得られるものの、その大きさや重量のために乳房や乳首に掛かる負担が大きく、また衣類やブラジャーの下に着用することが出来ないと言う問題を生じてしまう。いま現実に必要とされるのは、乳首吸引の維持力が強いものであると共に器具として小型で目立たないものでなくてはならない。【０００６】  そこでこの考案は上述したような問題点に鑑み、陥没乳首を矯正するのに充分な吸引力とその持続力とが得られ、胸部から取り外すことが容易であって胸部に負担を掛けることがなく、またブラジャーなどの下に着用しても違和感のないような、陥没乳首矯正具を提供することを課題とする。
【課題を解決するための手段】
【０００７】  上記の課題は、胸部に吸着する吸着部と、この吸着部の中程に開けられた開口部と、この開口部に設けられた乳首を挿入するための挿入部と、この挿入部の先に設けられ挿入部よりも大きな径を有すると共に弾力性を有する吸引部とから成り、吸着方向の全体が略鼓状且つ略扁平状を呈することを特徴とする、陥没乳首矯正具とすることにより達成される。【０００８】  前記吸着部と吸引部との間は括れた形状を呈しており、この括れた部分が乳首の挿入部に相当し、全体は大略鼓状を呈している。この括れた部分を人差し指と中指とで挟み、親指を前記吸引部の頂部（押圧部である）にそっと当てると、これ等３つの指で吸引部をつまんだ状態となる。このように持ちながら陥没した状態の乳首が吸着部の中程に開けられた開口部の所に来るように位置合わせをしつつ、吸着部を胸部に押し当てるようにする。この際には親指が吸引部の頂部を自然に押圧することになる。こうして吸引部を摘む３本の指を外すと、弾力性を有する大きな吸引部の復元力によって従来品よりも大きな負圧が生じ、陥没した状態の乳首が胸部より吸い出されて挿入部に納まることになる。この状態を持続させることが出来るのは大きい吸引部ならではのものである。なお乳首が吸い出されるのは挿入部までであり、乳首は挿入部の存在によって支えられた状態となるためその形状が整えられることになる。【０００９】  あるいは前記括れた部分を、人差し指と中指の腹側を吸着部の方に向けるようにして、人差し指と中指とで挟んだ状態で胸部に当てて、もう一方の腕の人差し指や中指などで吸引部の頂部を押圧するような用い方も可能である。【００１０】  こうしてこの考案の陥没乳首矯正具を胸部にセットすることが出来るが、吸引部は挿入部よりも大きな径を有すると共に、全体は吸着方向に潰れたような平たい形状すなわち略扁平形状を呈すると言うこの考案独特の形を有しているため、この上からブラジャーなどを着用しても違和感がなく、そればかりか設計によっては胸パットとしての機能を持たせることが出来るのである。【００１１】  次にこの考案の陥没乳首矯正具を胸部から取り外す際にも、この考案は効果を発揮する。上述したように従来品では吸着部は強く胸部に吸着するために胸部を強く引っ張るようにしなくては外れず、胸部に掛かる負担が大きい。これに対してこのこの考案では、前記吸引部の径が大きいため、これを親指と人差し指とで両側から圧迫するようにすると、吸着部が都合良く変形して浮き上がり、胸部から外れやすくなる作用を現ずる。吸引部の径が大きいことはこの着脱の操作がやりやすく楽であることを意味する。【００１２】  さてこの考案では少なくとも前記吸着部が透明であるものとすると良い。上述したようにこの考案の陥没乳首矯正具を用いるには、陥没した状態の乳首が吸着部の中程に開けられた開口部の所に来るように位置合わせをする必要があるが、吸着部が透明であると、陥没して見にくい状態の乳首を透明な吸着部を透かして見ることが出来るため、位置合わせがより容易なものとなる。なお更に挿入部や吸引部を透明としても良い。【００１３】  またこの考案の陥没乳首矯正具が胸パッドに形成されたものとすることが出来る。上述したようにこの考案は���記吸引部の径が大きく、吸着方向の全体が略扁平状を呈しているため、この上からブラジャーを着用しても違和感がない。そこで更に胸パッドに形成したものとするのである。このようであるから、全体や各部の形状は円形や楕円形に限定されない。例えば挿入部をその縦断面形状で波形状となるように成型したり、吸引部を角にアールを付けた方形状のものとしたりハート形に成型したりすることが可能である。
【考案の効果】
【００１４】  この考案によれば、挿入部よりも大きな径を有する吸引部を備えて全体が大略鼓状を呈するように構成したため、着用の操作が行ないやすく、陥没乳首を矯正するのに充分な吸引力と持続力とが得られると共に、胸部に大きな負担を掛けることなく胸部から取り外すことが容易であり、また全体は略扁平状を呈するためブラジャーなどの下に着用しても違和感がないと言う効果を奏して、産業上の利用価値が極めて高いものとなっている。
【考案を実施するための最良の形態】
【００１５】  第１実施形態
図１及び図２はこの実施形態の陥没乳首矯正具１を表わすが、吸着部２の上に挿入部３を介して吸引部４を有するように一体に形成されている。実質的に挿入部３は吸着部２の中央部に設けられた開口部２０に繋っており、この開口部２０から挿入部３内に乳首が位置することになる。この挿入部３は陥没乳首矯正具１の外側ではくびれ部３０となっている。吸引部４の天部を押圧部４０と、外周部をつまみ部４１と呼称する。この陥没乳首矯正具１は肌色のシリコン製のものであるが、これ以外にも天然ゴムなどの弾力性を有する材料であれば使用可能である。吸引部４は挿入部３よりも大きな径を有しており、この陥没乳首矯正具１の全体が鼓のような形状を呈すると共に吸着方向に潰れたような平たい形状を呈するように構成されている。図２では吸着部２の外周部と吸引部４の外周面とを結ぶ仮想面を鎖線で表わしたが、着用時の全体はあたかも鎖線のカップ形状を呈するように考えて設計されている。【００１６】  次にこの陥没乳首矯正具１の使用法であるが、鼓状の括れた部分であるくびれ部３０を人差し指と中指とで挟むと安定して保持することが出来る。なおこの時に人差し指と中指の腹側を吸引部４の方に向けるか吸着部２の方に向けるかによりこの後の操作が異なって来る。前者では親指を吸引部４の押圧部４０に当て、陥没した状態の乳首が吸着部２の中程の開口部２０の所に来るように位置合わせをしつつ、吸着部２を胸部に押し当てるようにするのであるが、この際に親指で押圧部４０をそっと押すようにする。また後者の場合ではくびれ部３０を人差し指と中指とで挟んだ状態で胸部に当てて、他方の腕の人差し指や中指などで押圧部４０を押すようにする。このようにして吸引部４から３本の指を外すと、大きな吸引部４の復元力によって従来品よりも大きな負圧が生じ、陥没乳首が胸部より吸い出されて挿入部３に納まるのである。この状態を持続させることが出来るのは径大の吸引部４ならではのものである。吸い出された乳首は挿入部３により支えられた状態となっている。【００１７】  こうして陥没乳首矯正具１を胸部に吸着させることが出来るのであるが、吸引部４は挿入部３よりも大きな径を有すると共に、吸着方向の全体が大略扁平状のカーブを呈する独特の形状を有しているため、この上からブラジャーなどを着用しても違和感がなくこの状態は胸パッドとして機能していると見ることが可能である。なお挿入部３の内壁を筒状に形成したり襞を付けるなどしても良い。【００１８】  次にこの陥没乳首矯正具１を胸部から取り外すには、吸引部４のつまみ部４１を両側から挟んで圧迫するようにする。吸引部４の径が大きいことにより変形が大きく、この変形が吸着部２に及んで都合良く浮き上がり、胸部から容易に外れるのである。【００１９】  第２実施形態
図３で表わしたこの実施形態の陥没乳首矯正具１’は内部が透けて見えるように形成されたシリコン製のものであり、吸引部４２の形状が第１実施形態の吸引部４とは形状が異なり、角にアールを付けた方形状とした点に特徴を有するものである。従ってこの陥没乳首矯正具１’を胸部から取り外すには、径大の吸引部４２のアールの付いた角であるつまみ部４３が好ましいのであるが、ここを親指と人差し指とで両側から圧迫するようにすると吸着部２が都合良く変形して浮き上がり、胸部から外れやすくなるのである。なおこの変形を効果的に行なわせるために、このつまみ部４３の角から吸着部２に掛けて肉厚のラインを設けるなどしても良い。【００２０】  なおこの陥没乳首矯正具１’では吸着部２からも挿入部３からも吸引部４２からも内部が透けて見えるため、胸部に取り付ける際に陥没乳首を挿入部３に位置合わせしやすいと言う効果がある。特に吸着部２が、更には挿入部３が透明であることが重要である。図３の平面図では吸引部４２を透して挿入部３が薄く見えているのが分かる。鏡に写したり他人に見てもらったりしてここに乳首が見えたら位置合わせはうまく行っていることになる。なお吸引部をキャラクタ−などの具象形状に形成すると一層興味深いものとなるであろう。【００２１】  第３実施形態
図４は第１実施形態の陥没乳首矯正具１と胸パッド５とを組み合わせて成る、胸パッドの役割を備えた陥没乳首矯正具を表わしたものである。この胸パッド５は下着のブラジャーの内側に宛がい胸をより大きく見せるために用いるものであってクッション材５０が主体のものである。このクッション材５０の中に陥没乳首矯正具１をその吸着部２が胸側となるようにして埋め込んだものである。なお陥没乳首矯正具１を胸パッド５に接着するなどして固定しても良いし、胸パッド５から外せるようにただ填め込んだだけのものとしても良い。【００２２】  この用い方であるが、胸パッド５を手に取って、挿入部３の位置を乳首の位置に合わせつつ、胸パッド５の上から陥没乳首矯正具１を押えるようにして胸部に吸着させる。そうしておいて胸パッド５の上にブラジャーを着用するようにするのである。なおこの実施形態では鼓状の括れた部分であるくびれ部３０を人差し指と中指とで挟むと言うような操作が出来ないが特に問題はない。しかしながらここを挟みたいとするのであれば、例えばこの部位の胸パッド５に穴を開けるなどすれば良い。
【産業上の利用可能性】
【００２３】  なおこの考案は、女性用としてのみならず男性用として構成することも可能である。またこの考案は、シャツの前見頃の内側に縫い付けて陥没乳首矯正具付きの衣類などとして提供することが可能である。
【図面の簡単な説明】
【００２４】
【図１】  第１実施形態の側面図である。
【図２】  同実施形態の断面図である。
【図３】  第２実施形態の平面図である。
【図４】  第３実施形態の説明図である。
【符号の説明】
【００２５】１    陥没乳首矯正具      １’  陥没乳首矯正具
２    吸着部              ２０  開口部
３    挿入部              ３０  くびれ部
４    吸引部              ４０  押圧部
４１  つまみ部            ４２  吸引部
４３  つまみ部            ５    胸パッド
５０  クッション材
【図１】
0003143996.tif 000003
【図２】
0003143996.tif 000004
【図３】
0003143996.tif 000005
【図４】
0003143996.tif 000006